(57)【要約】【課題】３Ｇ１Ｘプロトコル使用中に、異なる移動交換局配下の１ｘ用基地局の間で「１ｘハンドオフ処理」を行う必要性が生じている場合であっても、１ｘ用ネットワークを介した発信端末から移動端末宛ての着信を受信することができる。【解決手段】移動端末ＭＳが、３Ｇ１Ｘプロトコルの使用を開始した後、ＥＶ-ＤＯ用基地局ＢＳ＃１を介して１ｘ用基地局ＢＳ＃２に対して位置登録処理を行う工程と、所定条件が満たされた場合、３Ｇ１Ｘプロトコルの使用を停止して、１ｘ用基地局ＢＳ＃３から移動交換局ＭＳＣ＃２を識別するネットワークＩＤを含む報知情報を受信する工程と、１ｘ用基地局ＢＳ＃２に接続されている移動交換局ＭＳＣ＃１と、報知情報に含まれているネットワークＩＤによって識別される移動交換局ＭＳＣ＃２とが異なる場合、１ｘ用基地局ＢＳ＃２に対して位置登録処理を行う工程と、３Ｇ１Ｘプロトコルの使用を再開する工程とを有する。【選択図】図５
2007201923.tif 000002
【特許請求の範囲】
【請求項１】
移動端末が、パケット交換ネットワーク用基地局を介して回線交換ネットワーク用基地局に対して位置登録処理を行うように規定されているプロトコルを使用して通信を行う移動通信方法であって、
前記移動端末が、前記プロトコルの使用を開始した後、パケット交換ネットワーク用基地局を介して、第１の回線交換ネットワーク用基地局に対して位置登録処理を行う工程と、
所定条件が満たされた場合、前記移動端末が、前記プロトコルの使用を停止して、第２の回線交換ネットワーク用基地局から、該第２の回線交換ネットワーク用基地局に接続されている移動交換局を識別するネットワークＩＤを含む報知情報を受信する工程と、
前記第１の回線交換ネットワーク用基地局に接続されている移動交換局と、受信した前記報知情報に含まれているネットワークＩＤによって識別される移動交換局とが異なる場合、前記移動端末が、前記第２の回線交換ネットワーク用基地局に対して位置登録処理を行う工程と、
前記移動端末が、前記プロトコルの使用を再開する工程とを有することを特徴とする移動通信方法。
【請求項２】
前記プロトコルの使用を開始してからの前記移動端末の移動距離が一定値を超えた場合、前記所定条件が満たされたと判断することを特徴とする請求項１に記載の移動通信方法。
【請求項３】
前記プロトコルの使用を開始してから一定時間が経過した場合、前記所定条件が満たされたと判断することを特徴とする請求項１に記載の移動通信方法。
【請求項４】
前記移動端末が通信を行う前記パケット交換ネットワーク用基地局がハンドオフによって切り替わった場合、前記所定条件が満たされたと判断することを特徴とする請求項１に記載の移動通信方法。
【請求項５】
前記移動端末は、前記第１の回線交換ネットワーク用基地局に接続されている移動交換局と、受信した前記報知情報に含まれているネットワークＩＤによって識別される移動交換局とが異なる場合、前記パケット交換ネットワーク用基地局に対して位置登録要求を送信することによって、該第２の回線交換ネットワーク用基地局に対して位置登録処理を行うことを特徴とする請求項１乃至４のいずれか一項に記載の移動通信方法。
【請求項６】
前記移動端末は、前記第１の回線交換ネットワーク用基地局に接続されている移動交換局と、受信した前記報知情報に含まれているネットワークＩＤによって識別される移動交換局とが異なる場合、前記パケット交換ネットワーク用基地局を介することなく、前記第２の回線交換ネットワーク用基地局に対して位置登録要求を送信することによって、該第２の回線交換ネットワーク用基地局に対して位置登録処理を行うことを特徴とする請求項１乃至４のいずれか一項に記載の移動通信方法。
【請求項７】
パケット交換ネットワーク用基地局を介して回線交換ネットワーク用基地局に対して位置登録処理を行うように規定されているプロトコルを使用して通信を行う移動端末であって、
前記プロトコルの使用を開始した後、パケット交換ネットワーク用基地局を介して、第１の回線交換ネットワーク用基地局に対して位置登録処理を行うように構成されている位置登録処理部と、
所定条件が満たされた場合、前記移動端末が、前記プロトコルの使用を停止して、第２の回線交換ネットワーク用基地局から、該第２の回線交換ネットワーク用基地局に接続されている移動交換局を識別するネットワークＩＤを含む報知情報を受信するように構成されている報知情報取得部とを具備し、
前記位置登録処理部は、前記第１の回線交換ネットワーク用基地局に接続されている移動交換局と、受信した前記報知情報に含まれているネットワークＩＤによって識別される移動交換局とが異なる場合、前記第２の回線交換ネットワーク用基地局に対して位置登録処理を行うように構成されていることを特徴とする移動端末。
【発明の詳細な説明】
【技術分野】
【０００１】
本発明は、移動端末が、パケット交換ネットワーク用基地局を介して回線交換ネットワーク用基地局に対して位置登録処理を行うように規定されているプロトコルを使用して通信を行う移動通信方法、及び移動端末に関する。
【背景技術】
【０００２】
近年、「ｃｄｍａ２０００  １ｘ-ＥＶ  ＤＯ方式」において、移動端末が、ＥＶ-ＤＯ用基地局（パケット交換ネットワーク用基地局）との間で設定されているコントロールチャネルやトラフィックチャネルを用いて、１ｘ用ネットワーク（回線交換ネットワーク）のシグナリングメッセージを受信するように規定されているプロトコル（３Ｇ１Ｘプロトコル：３Ｇ１Ｘ  Ｃｉｒｃｕｉｔ  Ｓｅｒｖｉｃｅ  Ｎｏｔｉｆｉｃａｔｉｏｎ  Ｐｒｏｔｏｃｏｌ）が開発されている。
【０００３】
図１に、移動端末ＭＳが、３Ｇ１Ｘプロトコルを使用して通信可能な移動通信システムの概略を示す。
【０００４】
以下、図１１及び図１２を参照して、かかる移動通信システムにおいて、３Ｇ１Ｘプロトコル使用中に、１ｘ用ネットワークからの着信処理を行う動作について説明する。
【０００５】
図１１に示すように、ステップＳ１００１において、移動端末ＭＳは、１ｘ用基地局ＢＳ＃１から、当該１ｘ用基地局ＢＳ＃１を識別する基地局ＩＤ及び当該１ｘ用基地局ＢＳ＃１に接続されている移動交換局ＭＳＣ＃１を識別するネットワークＩＤを含む報知情報を受信する。
【０００６】
ステップＳ１００２において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【０００７】
ステップＳ１００３において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【０００８】
ステップＳ１００４において、移動端末ＭＳは、受信した「３Ｇ１Ｘプロトコル使用承認」に応じて、３Ｇ１Ｘプロトコルの使用を開始し、ＥＶ-ＤＯ用基地局ＢＳ＃１に対して、１ｘ用基地局ＢＳ＃１に対して位置登録処理を行うための位置登録要求を通知するための「３Ｇ１Ｘ  Ｓｅｒｖｉｃｅ  Ｐａｃｋｅｔ」を送信する。
【０００９】
なお、３Ｇ１Ｘプロトコルの使用中は、移動端末ＭＳは、１ｘ用ネットワークからの無線信号を受信しないように構成されている。
【００１０】
ステップＳ１００５において、ＥＶ-ＤＯ用基地局ＢＳ＃１は、移動端末ＭＳに対して、１ｘ用基地局ＢＳ＃１に対する位置登録処理が完了したことを示す位置登録完了応答を通知するための「３Ｇ１Ｘ  Ｓｅｒｖｉｃｅ  Ｐａｃｋｅｔ」を送信する。
【００１１】
ステップＳ１００６において、１ｘ用上位交換局ＧＭＳＣとＥＶ-ＤＯ用上位ノードＰＤＳＮとパケット制御機能ＰＣＦ＃１とを介して、ＥＶ-ＤＯ用基地局ＢＳ＃１に対して、１ｘ用ネットワークを介した発信端末から移動端末ＭＳ宛ての着信があることが通知されると、ＥＶ-ＤＯ用基地局ＢＳ＃１は、１ｘ用ネットワークを介した発信端末から移動端末ＭＳ宛ての着信があることを通知するための「３Ｇ１Ｘ  Ｓｅｒｖｉｃｅ  Ｐａｃｋｅｔ」を、移動端末ＭＳに対して送信する。
【００１２】
ステップＳ１００７において、移動端末ＭＳは、ＥＶ-ＤＯ用基地局ＢＳ＃１に対して、３Ｇ１Ｘプロトコルの使用停止を要求するための「３Ｇ１Ｘプロトコル停止要求」を送信する。
【００１３】
ステップＳ１００８において、ＥＶ-ＤＯ用基地局ＢＳ＃１は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【００１４】
ステップＳ１００９において、移動交換局ＭＳＣ＃１配下の１ｘ用基地局ＢＳ＃１及び＃２は、１ｘ用ネットワークを介した発信端末から移動端末ＭＳ宛ての着信を通知する。
【００１５】
ステップＳ１０１０において、移動端末ＭＳは、３Ｇ１Ｘプロトコル使用中（ステップＳ１００４乃至Ｓ１００８の間）に、移動端末ＭＳについて「１ｘハンドオフ処理」を行う必要性が生じていないため、すなわち、移動端末ＭＳにおいて受信した報知情報に含まれる基地局ＩＤ（１ｘ用基地局ＢＳ＃１）が変更されていないため、１ｘ用基地局ＢＳ＃１からの着信通知に対して応答することによって、１ｘ用ネットワークを介して発信端末との間の通信を開始する。
【００１６】
なお、３Ｇ１Ｘプロトコル使用中に、移動端末ＭＳについて同一移動交換局ＭＳＣ配下の１ｘ用基地局間で「１ｘハンドオフ処理」を行う必要性が生じている場合、すなわち、移動端末ＭＳにおいて受信した報知情報に含まれる基地局ＩＤが同一移動交換局ＭＳＣ配下の１ｘ用基地局の基地局ＩＤ変更されている場合の動作について、図１３及び図１４を参照して説明する。
【００１７】
図１３に示すように、ステップＳ２００１乃至Ｓ２００８の動作については、上述のステップＳ１００１乃至Ｓ１００９の動作と同一である。
【００１８】
ステップＳ２０１０において、移動端末ＭＳは、３Ｇ１Ｘプロトコル使用中（ステップＳ２００４乃至Ｓ２００８の間）に、移動端末ＭＳについて同一移動交換局ＭＳＣ＃１配下の１ｘ用基地局間で「１ｘハンドオフ処理」を行う必要性が生じているため、すなわち、移動端末ＭＳにおいて受信した報知情報に含まれる基地局ＩＤ（１ｘ用基地局ＢＳ＃１）が同一移動交換局ＭＳＣ＃１配下の１ｘ用基地局の基地局ＩＤ（１ｘ用基地局ＢＳ＃２）に変更されているため、１ｘ用基地局ＢＳ＃２からの着信通知に対して応答することによって、１ｘ用ネットワークを介して発信端末との間の通信を開始する。
【非特許文献１】「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  ３ＧＰＰ２  Ｃ．Ｓ００２４  Ｖｅｒｓｉｏｎ  ４.０」、３ＧＰＰ２、２００２年１０月（Ｓｅｃｔｉｏｎ  ８.５.６.１、Ｓｅｃｔｉｏｎ  ９.３.１.３.２.３.２）
【非特許文献２】「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  ３ＧＰＰ２  Ｃ．Ｓ００２４-Ａ  Ｖｅｒｓｉｏｎ  １.０」、３ＧＰＰ２、２００４年３月（Ｓｅｃｔｉｏｎ  １４.２.１.３.１.１、Ｓｅｃｔｉｏｎ  １４.３.１.３.１.１）
【発明の開示】
【発明が解決しようとする課題】
【００１９】
しかしながら、３Ｇ１Ｘプロトコル使用中に、移動端末ＭＳについて異なる移動交換局ＭＳＣ配下の１ｘ用基地局間で「１ｘハンドオフ処理」を行う必要性が生じている場合、すなわち、移動端末ＭＳにおいて受信した報知情報に含まれる基地局ＩＤが異なる移動交換局配下の１ｘ用基地局の基地局ＩＤに変更されている場合、移動端末ＭＳは、３Ｇ１Ｘプロトコルの使用を停止しても、１ｘ用基地局からの着信通知を受信することができないという問題点があった。
【００２０】
かかる問題点について、図１５及び図１６を参照して説明する。図１５におけるステップＳ３００１乃至Ｓ３００８の動作は、上述のステップＳ１００１乃至Ｓ１００８の動作と同一である。
【００２１】
ステップＳ３００９において、３Ｇ１Ｘプロトコル使用中（ステップＳ３００４乃至Ｓ３００８の間）に、移動端末ＭＳについて異なる移動交換局ＭＳＣ＃１及びＭＳＣ＃２配下の１ｘ用基地局ＢＳ＃１とＢＳ＃３との間で「１ｘハンドオフ処理」を行う必要性が生じているため、すなわち、移動端末ＭＳにおいて受信した報知情報に含まれる基地局ＩＤ（１ｘ用基地局ＢＳ＃１）が異なる移動交換局ＭＳＣ＃２配下の１ｘ用基地局の基地局ＩＤ（１ｘ用基地局ＢＳ＃３）に変更されているため、移動端末ＭＳは、移動交換局ＭＳＣ配下の１ｘ用基地局ＢＳ＃１及びＢＳ＃２によって通知されている１ｘ用ネットワークを介した発信端末から移動端末ＭＳ宛ての着信を受信することができず、１ｘ用基地局ＢＳ＃１又はＢＳ＃２からの着信通知に対して応答することによって、１ｘ用ネットワークを介して発信端末との間の通信を開始することができない（ステップＳ３０１０）。
【００２２】
そこで、本発明は、以上の点に鑑みてなされたもので、３Ｇ１Ｘプロトコル使用中に、移動端末について異なる移動交換局配下の１ｘ用基地局の間で「１ｘハンドオフ処理」を行う必要性が生じている場合、すなわち、移動端末において受信した報知情報に含まれる基地局ＩＤが異なる移動交換局配下の１ｘ用基地局の基地局ＩＤに変更されている場合であっても、１ｘ用ネットワークを介した発信端末から移動端末宛ての着信を受信できるように制御する移動通信方法及び移動端末を提供することを目的とする。
【課題を解決するための手段】
【００２３】
本発明の第１の特徴は、移動端末が、パケット交換ネットワーク用基地局を介して回線交換ネットワーク用基地局に対して位置登録処理を行うように規定されているプロトコルを使用して通信を行う移動通信方法であって、前記移動端末が、前記プロトコルの使用を開始した後、パケット交換ネットワーク用基地局を介して、第１の回線交換ネットワーク用基地局に対して位置登録処理を行う工程と、所定条件が満たされた場合、前記移動端末が、前記プロトコルの使用を停止して、第２の回線交換ネットワーク用基地局から、該第２の回線交換ネットワーク用基地局に接続されている移動交換局を識別するネットワークＩＤを含む報知情報を受信する工程と、前記第１の回線交換ネットワーク用基地局に接続されている移動交換局と、受信した前記報知情報に含まれているネットワークＩＤによって識別される移動交換局とが異なる場合、前記移動端末が、前記第２の回線交換ネットワーク用基地局に対して位置登録処理を行う工程と、前記移動端末が、前記プロトコルの使用を再開する工程とを有することを要旨とする。
【００２４】
かかる発明によれば、所定条件が満たされた場合に、ＥＶ-ＤＯ用基地局から、１ｘ用ネットワークを介した発信端末から移動端末ＭＳ宛ての着信があることが通知されていない場合であっても、当該移動端末ＭＳについて異なる移動交換局ＭＳＣ配下の１ｘ用基地局間で「１ｘハンドオフ処理」を行う必要性が生じている場合、かかる「１ｘハンドオフ処理」を行っておくため、１ｘ用ネットワークを介した発信端末から移動端末ＭＳ宛ての着信を受信できない可能性を低減することができる。
【００２５】
本発明の第１の特徴において、前記プロトコルの使用を開始してからの前記移動端末の移動距離が一定値を超えた場合、前記所定条件が満たされたと判断してもよい。
【００２６】
本発明の第１の特徴において、前記プロトコルの使用を開始してから一定時間が経過した場合、前記所定条件が満たされたと判断してもよい。
【００２７】
本発明の第１の特徴において、前記移動端末が通信を行う前記パケット交換ネットワーク用基地局がハンドオフによって切り替わった場合、前記所定条件が満たされたと判断してもよい。
【００２８】
本発明の第１の特徴において、前記移動端末は、前記第１の回線交換ネットワーク用基地局に接続されている移動交換局と、受信した前記報知情報に含まれているネットワークＩＤによって識別される移動交換局とが異なる場合、前記パケット交換ネットワーク用基地局に対して位置登録要求を送信することによって、該第２の回線交換ネットワーク用基地局に対して位置登録処理を行ってもよい。
【００２９】
本発明の第１の特徴において、前記移動端末は、前記第１の回線交換ネットワーク用基地局に接続されている移動交換局と、受信した前記報知情報に含まれているネットワークＩＤによって識別される移動交換局とが異なる場合、前記パケット交換ネットワーク用基地局を介することなく、前記第２の回線交換ネットワーク用基地局に対して位置登録要求を送信することによって、該第２の回線交換ネットワーク用基地局に対して位置登録処理を行ってもよい。
【００３０】
本発明の第２の特徴は、パケット交換ネットワーク用基地局を介して回線交換ネットワーク用基地局に対して位置登録処理を行うように規定されているプロトコルを使用して通信を行う移動端末であって、前記プロトコルの使用を開始した後、パケット交換ネットワーク用基地局を介して、第１の回線交換ネットワーク用基地局に対して位置登録処理を行うように構成されている位置登録処理部と、所定条件が満たされた場合、前記移動端末が、前記プロトコルの使用を停止して、第２の回線交換ネットワーク用基地局から、該第２の回線交換ネットワーク用基地局に接続されている移動交換局を識別するネットワークＩＤを含む報知情報を受信するように構成されている報知情報取得部とを具備し、前記位置登録処理部は、前記第１の回線交換ネットワーク用基地局に接続されている移動交換局と、受信した前記報知情報に含まれているネットワークＩＤによって識別される移動交換局とが異なる場合、前記第２の回線交換ネットワーク用基地局に対して位置登録処理を行うように構成されていることを要旨とする。
【発明の効果】
【００３１】
以上説明したように、本発明によれば、パケット交換ネットワーク用基地局を介して回線交換ネットワークのシグナリングメッセージを受信するプロトコルの使用中に、移動端末について異なる移動交換局配下の回線交換ネットワーク用基地局の間で「ハンドオフ」が生じている場合、すなわち、移動端末において受信した報知情報に含まれる基地局ＩＤが異なる移動交換局配下の回線交換ネットワーク用基地局の基地局ＩＤに変更されている場合であっても、回線交換ネットワークを介した発信端末から移動端末宛ての着信を受信できるように制御する移動通信方法及び移動端末を提供することができる。
【発明を実施するための最良の形態】
【００３２】
（本発明の第１の実施形態に係る移動通信システムの構成）
図１乃至図４を参照して、本発明の第１の実施形態に係る移動通信システムの構成について説明する。本実施形態に係る移動通信システムは、「ｃｄｍａ２０００  １ｘ-ＥＶ  ＤＯ方式」を適用している。
【００３３】
具体的には、本実施形態に係る移動通信システムは、図１に示すように、移動端末データベース１と、１ｘ用上位交換局ＧＭＳＣと、１ｘ用上位交換局ＧＭＳＣに接続されている移動交換局ＭＳＣ＃１及び＃２と、移動交換局ＭＳＣ＃１及び＃２にそれぞれ接続されている１ｘ用基地局ＢＳ＃１乃至＃３と、ＥＶ-ＤＯ上位ノードＰＤＳＮと、ＥＶ-ＤＯ上位ノードＰＤＳＮに接続されているパケット制御機能ＰＣＦ＃１及び＃２と、パケット制御機能ＰＣＦ＃１及び＃２にそれぞれ接続されているＥＶ-ＤＯ用基地局ＢＳ＃１乃至＃４とを具備している。
【００３４】
ここで、本実施形態に係る移動通信システムでは、移動端末ＭＳは、ＥＶ-ＤＯ用基地局ＢＳ＃１乃至＃４（パケット交換ネットワーク用基地局）を介して１ｘ用基地局ＢＳ＃１乃至＃３（回線交換ネットワーク用基地局）に対して位置登録処理を行うように規定されている３Ｇ１Ｘプロトコルを使用して通信を行うことができる。
【００３５】
図２に、かかる移動端末ＭＳのハードウエア機能を示し、図３に、かかる移動端末ＭＳのソフトウエア機能を示す。
【００３６】
図２に示すように、移動端末ＭＳは、ハードウエア機能として、表示部１１と、キー入力部１２と、記憶部１３と、１ｘ用送受信部１４と、ＥＶ-ＤＯ用送受信部１５と、切替部１６と、制御部１７と、送受信アンテナ１８と、ＧＰＳ機能部１９とを具備する。
【００３７】
表示部１１は、液晶ディスプレイ等によって構成されており、キー入力部１２は、キー入力ボタン等によって構成されており、記憶部１３は、フラッシュメモリ等によって構成されている。
【００３８】
また、１ｘ用送受信部１４は、送受信アンテナ１８を介して１ｘ用基地局との間で無線通信を行うように構成されており、ＥＶ-ＤＯ送受信部１５は、送受信アンテナ１８を介してＥＶ-ＤＯ用基地局との間で無線通信を行うように構成されている。なお、１ｘ用送受信部１４及びＥＶ-ＤＯ送受信部１５は、別々の無線通信機能によって構成されてもよいし、同一の無線通信機能によって構成されていてもよい。
【００３９】
切替部１６は、送受信アンテナ１８を介して１ｘ用送受信部１４が無線通信を行うか、送受信アンテナ１８を介してＥＶ-ＤＯ送受信部１５が無線通信を行うかを切り替えるように構成されている。
【００４０】
制御部１７は、ＣＰＵ等によって構成されており、各部１１乃至１６を制御するように構成されている。
【００４１】
図３に示すように、移動端末ＭＳは、ソフトウエア機能として、記憶部１３内に、位置情報記憶部１３ａを具備し、制御部１７内に、ＥＶ-ＤＯ報知情報取得部１７ａと、ＧＰＳ情報取得部１７ｂと、位置情報取得部１７ｃと、ＥＶ-ＤＯハンドオフ制御部１７ｄと、タイマ満了検出部１７ｅと、１ｘ報知情報取得部１７ｆと、１ｘハンドオフ制御部１７ｇと、３Ｇ１Ｘプロトコル制御部１７ｈとを具備する。
【００４２】
位置情報記憶部１３ａは、当該移動端末ＭＳの位置情報として、例えば、「ＧＰＳ情報」と「１ｘ用ネットワークＩＤ」と「１ｘ用基地局ＩＤ」と「ＥＶ-ＤＯ用ネットワークＩＤ」と「ＥＶ-ＤＯ用基地局ＩＤ」とを関連付けて記憶するように構成されている。
【００４３】
「ＧＰＳ情報」は、当該移動端末ＭＳの位置を示すＧＰＳ情報（例えば、経度・緯度情報）を示し、「１ｘ用基地局ＩＤ」は、当該移動端末ＭＳが位置登録処理を行っている１ｘ用基地局の識別情報を示し、「１ｘ用ネットワークＩＤ」は、当該移動端末ＭＳが位置登録処理を行っている１ｘ用基地局が接続されている移動交換局の識別情報を示し、「ＥＶ-ＤＯ用基地局ＩＤ」は、当該移動端末ＭＳが位置登録処理を行っているＥＶ-ＤＯ用基地局の識別情報を示し、「ＥＶ-ＤＯ用ネットワークＩＤ」は、当該移動端末ＭＳが位置登録処理を行っているＥＶ-ＤＯ用基地局が接続されている移動交換局の識別情報を示す。
【００４４】
ＥＶ-ＤＯ報知情報取得部１７ａは、ＥＶ-ＤＯ用基地局との間で設定されているコントロールチャネルやトラフィックチャネルを用いて、ＥＶ-ＤＯ用ネットワークからの報知情報（シグナリングメッセージ）を取得するように構成されている。
【００４５】
また、ＥＶ-ＤＯ報知情報取得部１７ａは、３Ｇ１Ｘプロトコル制御部１７ｈからの指示に応じて３Ｇ１Ｘプロトコルが使用中であると判断した場合、ＥＶ-ＤＯ用基地局との間で設定されているコントロールチャネルやトラフィックチャネルを用いて、ＥＶ-ＤＯ用ネットワークからの報知情報に加えて、１ｘ用ネットワークからの報知情報（シグナリングメッセージ）を取得するように構成されている。
【００４６】
ＧＰＳ情報取得部１７ｂは、ＧＰＳ機能部１９を介して、移動端末ＭＳのＧＰＳ情報（例えば、経度・緯度情報）を取得するように構成されている。
【００４７】
位置情報取得部１７ｃは、ＥＶ-ＤＯ報知情報取得部１７ａから、移動端末ＭＳの位置情報として、ＥＶ-ＤＯ用ネットワークからの報知情報に含まれる「ＥＶ-ＤＯ用ネットワークＩＤ」及び「ＥＶ-ＤＯ用基地局ＩＤ」を取得して、位置情報記憶部１３ａに記憶するように構成されている。
【００４８】
また、位置情報取得部１７ｃは、３Ｇ１ｘプロトコルが使用されている場合、ＥＶ-ＤＯ報知情報取得部１７ａから、移動端末ＭＳの位置情報として、１ｘ用ネットワークからの報知情報に含まれる「１ｘ用ネットワークＩＤ」及び「１ｘ用基地局ＩＤ」を取得して、位置情報記憶部１３ａに記憶するように構成されている。
【００４９】
なお、位置情報取得部１７ｃは、３Ｇ１ｘプロトコルが使用されていない場合、１ｘ報知情報取得部１７ｆから、移動端末ＭＳの位置情報として、１ｘ用ネットワークからの報知情報に含まれる「１ｘ用ネットワークＩＤ」及び「１ｘ用基地局ＩＤ」を取得して、位置情報記憶部１３ａに記憶するように構成されている。
【００５０】
また、位置情報取得部１７ｃは、ＧＰＳ情報取得部１７から、移動端末ＭＳの位置情報として、ＧＰＳ情報を取得して、位置情報記憶部１３ａに記憶するように構成されている。
【００５１】
ＥＶ-ＤＯハンドオフ制御部１７ｄは、ＥＶ-ＤＯ報知情報取得部１７ａによって取得されたＥＶ-ＤＯ用ネットワークからの報知情報に含まれる「ＥＶ-ＤＯ用基地局ＩＤ」に基づいて、ＥＶ-ＤＯハンドオフ処理に係る制御を行うように構成されている。
【００５２】
具体的には、ＥＶ-ＤＯハンドオフ制御部１７ｄは、ハンドオフ前のＥＶ-ＤＯ用基地局と、ＥＶ-ＤＯ報知情報取得部１７ａによって取得されたＥＶ-ＤＯ用ネットワークからの報知情報に含まれる「ＥＶ-ＤＯ用基地局ＩＤ」によって識別されるハンドオフ先のＥＶ-ＤＯ用基地局が異なる場合に、当該ハンドオフ先のＥＶ-ＤＯ用基地局に対して位置登録要求を送信することによって、当該ハンドオフ先のＥＶ-ＤＯ用基地局に対して位置登録処理を行うように構成されている。
【００５３】
また、ＥＶ-ＤＯハンドオフ制御部１７ｄは、３Ｇ１Ｘプロトコルが使用されている場合で、かつ、ハンドオフ前の１ｘ用基地局と、３Ｇ１Ｘプロトコル解除後に１ｘ報知情報取得部１７ｆによって取得された１ｘ用ネットワークからの報知情報に含まれる「１ｘ用基地局ＩＤ」によって識別されるハンドオフ先の１ｘ用基地局が異なる場合に、３Ｇ１Ｘプロトコル再開後にＥＶ-ＤＯ用基地局を介して、当該ハンドオフ先の１ｘ用基地局に対して位置登録要求を送信することによって、当該ハンドオフ先の１ｘ用基地局に対して位置登録処理を行うように構成されている。
【００５４】
なお、ＥＶ-ＤＯハンドオフ制御部１７ｄは、移動端末ＭＳについてＥＶ-ＤＯハンドオフ処理を行った場合、その旨を３Ｇ１ｘプロトコル制御部１７ｈに通知するように構成されている。
【００５５】
タイマ満了検出部１７ｅは、タイマを用いて、３Ｇ１Ｘプロトコルの使用を開始してから一定時間が経過したことを検出し、その旨を３Ｇ１ｘプロトコル制御部１７ｈに通知するように構成されている。
【００５６】
１ｘ報知情報取得部１７ｆは、３Ｇ１ｘプロトコルが使用されていない場合、１ｘ用基地局との間で設定されているコントロールチャネルやトラフィックチャネルを用いて、１ｘ用ネットワークからの報知情報（シグナリングメッセージ）を取得するように構成されている。
【００５７】
１ｘハンドオフ制御部１７ｇは、１ｘ報知情報取得部１７ｆによって取得された１ｘ用ネットワークからの報知情報に含まれる「１ｘ用基地局ＩＤ」に基づいて、１ｘハンドオフ処理に係る制御を行うように構成されている。
【００５８】
具体的には、１ｘハンドオフ制御部１７ｇは、３Ｇ１Ｘプロトコルが使用されていない場合で、かつ、ハンドオフ前の１ｘ用基地局と、１ｘ報知情報取得部１７ｆによって取得された１ｘ用ネットワークからの報知情報に含まれる「１ｘ用基地局ＩＤ」によって識別されるハンドオフ先の１ｘ用基地局が異なる場合に、当該ハンドオフ先の１ｘ用基地局に対して位置登録要求を送信することによって、当該ハンドオフ先の１ｘ用基地局に対して位置登録処理を行うように構成されている。
【００５９】
なお、１ｘハンドオフ制御部１７ｇは、移動端末ＭＳについて１ｘハンドオフ処理を行った場合、ハンドオフ先の１ｘ用基地局の「基地局ＩＤ」及び当該ハンドオフ先の１ｘ用基地局に接続されている移動交換局を識別する「ネットワークＩＤ」に基づいて、位置情報記憶部１３ａを更新するように構成されている。
【００６０】
３Ｇ１Ｘプロトコル制御部１７ｈは、移動端末ＭＳにおいて、３Ｇ１Ｘプロトコルの使用及び使用停止についての制御を行うように構成されている。
【００６１】
具体的には、３Ｇ１Ｘプロトコル制御部１７ｈは、所定条件が満たされた場合、３Ｇ１Ｘプロトコルの使用を停止して、１ｘ用基地局から当該１ｘ用基地局に接続されている移動交換局を識別するネットワークＩＤを含む報知情報を受信するように１ｘ報知情報取得部１７ｆに通知する。
【００６２】
また、３Ｇ１Ｘプロトコル制御部１７ｈは、位置情報記憶部１３ａを参照して、３Ｇ１Ｘプロトコルの使用を開始してからの移動端末ＭＳの移動距離が一定値を超えたことを検出した場合、上述の所定条件が満たされたと判断するように構成されている。
【００６３】
なお、本実施形態に係る移動端末ＭＳは、このように構成されている装置であればよく、無線通信端末であってもよいし、無線モジュールであってもよいし、カード端末であってもよい。
【００６４】
図４に示すように、移動端末データベース１は、「移動端末ＩＤ」と「１ｘ用ネットワークＩＤ」と「１ｘ用基地局ＩＤ」と「ＥＸ-ＤＯ用ネットワークＩＤ」と「ＥＶ-ＤＯ用基地局ＩＤ」と「３Ｇ１Ｘプロトコル動作状況」とを関連付けて記憶するように構成されている。
【００６５】
「移動端末ＩＤ」は、移動端末ＭＳの識別情報を示し、「１ｘ用基地局ＩＤ」は、当該移動端末ＭＳが位置登録処理を行っている１ｘ用基地局の識別情報を示し、「１ｘ用ネットワークＩＤ」は、当該移動端末ＭＳが位置登録処理を行っている１ｘ用基地局が接続されている移動交換局の識別情報を示し、「ＥＶ-ＤＯ用基地局ＩＤ」は、当該移動端末ＭＳが位置登録処理を行っているＥＶ-ＤＯ用基地局の識別情報を示し、「ＥＶ-ＤＯ用ネットワークＩＤ」は、当該移動端末ＭＳが位置登録処理を行っているＥＶ-ＤＯ用基地局が接続されている移動交換局の識別情報を示す。
【００６６】
また、「３Ｇ１Ｘプロトコル動作状況」は、当該移動端末ＭＳにおいて３Ｇ１Ｘプロトコルが使用されているか否かについて示す。
【００６７】
移動端末データベース１は、１つのデータベースによって構成されていてもよいし、複数のデータベースによって構成されていてもよい。
【００６８】
１ｘ用上位交換局ＧＭＳＣは、１ｘ用ネットワークを介した相手端末から移動端末ＭＳ宛ての着信があった場合、移動端末データベース１を参照して、当該移動端末ＭＳにおいて３Ｇ１Ｘプロトコルが使用されているか否かについて判定する。
【００６９】
ここで、当該移動端末ＭＳにおいて３Ｇ１Ｘプロトコルが使用されていると判断された場合、１ｘ用上位交換局ＧＭＳＣは、当該移動端末ＭＳに関連付けられている「ＥＶ-ＤＯ用ネットワークＩＤ」によって識別されるパケット制御機能ＰＣＦに対して、１ｘ用ネットワークを介した相手端末から移動端末ＭＳ宛ての着信があった旨を通知し、当該パケット制御機能ＰＣＦは、その旨を配下のＥＶ-ＤＯ用基地局を介して移動端末ＭＳに通知する。
【００７０】
一方、当該移動端末ＭＳにおいて３Ｇ１Ｘプロトコルが使用されていないと判断された場合、１ｘ用上位交換局ＧＭＳＣは、当該移動端末ＭＳに関連付けられている「１ｘ用ネットワークＩＤ」によって識別される移動交換局ＭＳＣに対して、１ｘ用ネットワークを介した相手端末から移動端末ＭＳ宛ての着信を転送し、当該移動交換局ＭＳＣは、かかる着信を配下の１ｘ用基地局を介して移動端末ＭＳに通知する。
【００７１】
また、パケット制御機能ＰＣＦ又はＥＶ-ＤＯ用上位ノードＰＤＳＮは、ＥＶ-ＤＯ用基地局から受信した３Ｇ１Ｘプロトコル使用要求又は３Ｇ１Ｘプロトコル停止要求に応じて、移動端末データベース１における「３Ｇ１Ｘプロトコル動作状況」を更新するように構成されている。
【００７２】
また、パケット制御機能ＰＣＦ又はＥＶ-ＤＯ用上位ノードＰＤＳＮ、若しくは、移動交換局ＭＳＣ又は１ｘ用上位交換局ＧＭＳＣは、ＥＶ-ＤＯ用基地局又は１ｘ用基地局によって行われる位置登録処理に応じて、移動端末データベース１の内容を更新するように構成されている。
【００７３】
（本発明の第１の実施形態に係る移動通信システムの動作）
図１及び図５を参照して、本発明の第１の実施形態に係る移動通信システムの動作について説明する。
【００７４】
図５に示すように、ステップＳ１０１において、移動端末ＭＳは、１ｘ用基地局ＢＳ＃２から、当該１ｘ用基地局ＢＳ＃２を識別する基地局ＩＤ及び当該１ｘ用基地局ＢＳ＃２に接続されている移動交換局ＭＳＣ＃１を識別するネットワークＩＤを含む報知情報を受信する。
【００７５】
ステップＳ１０２において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【００７６】
ステップＳ１０３において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【００７７】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「使用中（○）」に変更する。
【００７８】
ステップＳ１０４において、移動端末ＭＳは、受信した「３Ｇ１Ｘプロトコル使用承認」に応じて、３Ｇ１Ｘプロトコルの使用を開始し、ＥＶ-ＤＯ用基地局ＢＳ＃１に対して、ステップＳ１０１で受信した報知情報に含まれている「基地局ＩＤ」によって識別される１ｘ用基地局ＢＳ＃２に対して位置登録処理を行うための位置登録要求を通知するための「３Ｇ１Ｘ  Ｓｅｒｖｉｃｅ  Ｐａｃｋｅｔ」を送信する。
【００７９】
ステップＳ１０５において、ＥＶ-ＤＯ用基地局ＢＳ＃１は、移動端末ＭＳについての１ｘ用基地局ＢＳ＃２に対する位置登録処理を行うことによって、移動端末データベース１において、当該移動端末ＭＳの「１ｘ用基地局ＩＤ」に１ｘ用基地局ＢＳ＃２を設定する。
【００８０】
ステップＳ１０６において、ＥＶ-ＤＯ用基地局ＢＳ＃１は、移動端末ＭＳに対して、１ｘ用基地局ＢＳ＃２に対する位置登録処理が完了したことを示す位置登録完了応答を通知するための「３Ｇ１Ｘ  Ｓｅｒｖｉｃｅ  Ｐａｃｋｅｔ」を送信する。
【００８１】
移動端末ＭＳは、ステップＳ１０７において、３Ｇ１Ｘプロトコルの使用が開始されてから一定時間の経過を測定するためのタイマを開始し、ステップＳ１０８において、ＧＰＳ情報を取得し、ステップＳ１０９において、３Ｇ１Ｘプロトコルの使用を開始してからの移動端末ＭＳの移動距離が一定値を超えたか否かについて判定する。
【００８２】
かかる移動距離が一定値を超えたと判定された場合、本動作はステップＳ１１０に進み、それ以外の場合、本動作は終了する。
【００８３】
ステップＳ１１０において、移動端末ＭＳは、ＥＶ-ＤＯ用基地局ＢＳ＃１に対して、３Ｇ１Ｘプロトコルの使用停止を要求するための「３Ｇ１Ｘプロトコル停止要求」を送信する。
【００８４】
ステップＳ１１１において、ＥＶ-ＤＯ用基地局ＢＳ＃１は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【００８５】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「停止中（×）」に変更する。
【００８６】
ステップＳ１１２において、移動端末ＭＳは、移動したため、１ｘ用基地局ＢＳ＃２からではなく、１ｘ用基地局ＢＳ＃３から、当該１ｘ用基地局ＢＳ＃３を識別する基地局ＩＤ及び当該１ｘ用基地局ＢＳ＃３に接続されている移動交換局ＭＳＣ＃２を識別するネットワークＩＤを含む報知情報を受信する。
【００８７】
ステップＳ１１３において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【００８８】
ステップＳ１１４において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【００８９】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「使用中（○）」に変更する。
【００９０】
ステップＳ１１５において、移動端末ＭＳは、ステップＳ１０５で移動端末ＭＳが位置登録処理を行っている１ｘ用基地局ＢＳ＃２に接続されている移動交換局ＭＳＣと、ステップＳ１１２で受信した報知情報に含まれているネットワークＩＤによって識別される移動交換局ＭＳＣとが異なるか否かについて判定する。
【００９１】
異なると判定された場合、本動作はステップＳ１１６に進み、それ以外の場合、本動作はステップＳ１２０に進む。
【００９２】
ステップＳ１１６において、移動端末ＭＳは、ＥＶ-ＤＯ用基地局ＢＳ＃１に対して、ステップＳ１１２で受信した報知情報に含まれている「基地局ＩＤ」によって識別される１ｘ用基地局ＢＳ＃３に対して位置登録処理を行うための位置登録要求を通知するための「３Ｇ１Ｘ  Ｓｅｒｖｉｃｅ  Ｐａｃｋｅｔ」を送信する。
【００９３】
ステップＳ１１７において、ＥＶ-ＤＯ用基地局ＢＳ＃１は、移動端末ＭＳについての１ｘ用基地局ＢＳ＃３に対する位置登録処理を行うことによって、移動端末データベース１において、当該移動端末ＭＳの「１ｘ用基地局ＩＤ」に１ｘ用基地局ＢＳ＃３を設定し、当該移動端末ＭＳの「１ｘ用ネットワークＩＤ」に移動交換局ＭＳＣ＃２を設定する。
【００９４】
ステップＳ１１８において、ＥＶ-ＤＯ用基地局ＢＳ＃１は、移動端末ＭＳに対して、１ｘ用基地局ＢＳ＃３に対する位置登録処理が完了したことを示す位置登録完了応答を通知するための「３Ｇ１Ｘ  Ｓｅｒｖｉｃｅ  Ｐａｃｋｅｔ」を送信する。
【００９５】
ステップＳ１１９において、３Ｇ１Ｘプロトコルの使用が開始されてから一定時間の経過を測定するためのタイマを開始する。
【００９６】
ステップＳ１２０において、１ｘ用上位交換局ＧＭＳＣとＥＶ-ＤＯ用上位ノードＰＤＳＮとパケット制御機能ＰＣＦ＃１とを介して、ＥＶ-ＤＯ用基地局ＢＳ＃１に対して、１ｘ用ネットワークを介した発信端末から移動端末ＭＳ宛ての着信があることが通知されると、ＥＶ-ＤＯ用基地局ＢＳ＃１は、１ｘ用ネットワークを介した発信端末から移動端末ＭＳ宛ての着信があることを通知するための「３Ｇ１Ｘ  Ｓｅｒｖｉｃｅ  Ｐａｃｋｅｔ」を、移動端末ＭＳに対して送信する。
【００９７】
ステップＳ１２１において、移動端末ＭＳは、ＥＶ-ＤＯ用基地局ＢＳ＃１に対して、３Ｇ１Ｘプロトコルの使用停止を要求するための「３Ｇ１Ｘプロトコル停止要求」を送信する。
【００９８】
ステップＳ１２２において、ＥＶ-ＤＯ用基地局ＢＳ＃１は、受信した「３Ｇ１Ｘプロトコル停止要求」に応じて、移動端末ＭＳに対して、３Ｇ１Ｘプロトコルの使用停止を承認するための「３Ｇ１Ｘプロトコル停止承認」を送信する。
【００９９】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「停止中（×）」に変更する。
【０１００】
ステップＳ１２３において、移動交換局ＭＳＣ＃２配下の１ｘ用基地局ＢＳ＃３は、１ｘ用ネットワークを介した発信端末から移動端末ＭＳ宛ての着信を通知する。
【０１０１】
ステップＳ１２４において、移動端末ＭＳは、１ｘ用基地局ＢＳ＃３からの着信通知に対して応答することによって、１ｘ用ネットワークを介して発信端末との間の通信を開始する。
【０１０２】
（本発明の第１の実施形態に係る移動通信システムの作用・効果）
本実施形態に係る移動通信システムによれば、所定条件が満たされた場合（３Ｇ１Ｘプロトコルの使用を開始してからの移動端末ＭＳの移動距離が一定値を超えた場合）に、ＥＶ-ＤＯ用基地局ＢＳ＃１から、１ｘ用ネットワークを介した発信端末から移動端末ＭＳ宛ての着信があることが通知されていない場合であっても、当該移動端末ＭＳについて異なる移動交換局ＭＳＣ＃１及び＃２配下の１ｘ用基地局ＢＳ＃２及び＃３間で「１ｘハンドオフ処理」を行う必要性が生じている場合、かかる「１ｘハンドオフ処理」を行っておくため、１ｘ用ネットワークを介した発信端末から移動端末ＭＳ宛ての着信を受信できない可能性を低減することができる。
【０１０３】
（本発明の第１の実施形態の変更例１）
図６を参照して、本発明の第１の実施形態の変更例１に係る移動通信システムについて説明する。以下、本変更例に係る移動通信システムについて、上述した本発明の第１の実施形態に係る移動通信システムとの相違点を主として説明する。
【０１０４】
本変更例に係る移動通信システムの構成は、移動端末ＭＳの３Ｇ１Ｘプロトコル制御部１７ｈが、タイマ満了検出部１７ｅからの指示に応じて、３Ｇ１Ｘプロトコルの使用を開始してから一定時間が経過したことを検出した場合、上述の所定条件が満たされたと判断するように構成されている点を除いて、上述した本発明の第１の実施形態に係る移動通信システムの構成と同様である。
【０１０５】
以下、図６を参照して、本発明の第１の実施形態の変更例１に係る移動通信システムの動作について説明する。
【０１０６】
図６に示すように、ステップＳ２０１乃至Ｓ２０８の動作は、上述のステップＳ１０１乃至Ｓ１０８の動作と同一である。
【０１０７】
ステップＳ２０９において、移動端末ＭＳは、３Ｇ１Ｘプロトコルの使用を開始してから一定時間が経過したか否かについて判定する。
【０１０８】
一定時間が経過したと判定された場合、本動作はステップＳ２１０に進み、それ以外の場合、本動作は終了する。
【０１０９】
ステップＳ２１０乃至Ｓ２２４の動作は、上述のステップＳ１１０乃至Ｓ１２４の動作と同一である。
【０１１０】
本変更例に係る移動通信システムによれば、所定条件が満たされた場合（３Ｇ１Ｘプロトコルの使用を開始してから一定時間が経過したことを検出した場合）に、ＥＶ-ＤＯ用基地局ＢＳ＃１から、１ｘ用ネットワークを介した発信端末から移動端末ＭＳ宛ての着信があることが通知されていない場合であっても、当該移動端末ＭＳについて異なる移動交換局ＭＳＣ＃１及び＃２配下の１ｘ用基地局ＢＳ＃２及び＃３間で「１ｘハンドオフ処理」を行う必要性が生じている場合、かかる「１ｘハンドオフ処理」を行っておくため、１ｘ用ネットワークを介した発信端末から移動端末ＭＳ宛ての着信を受信できない可能性を低減することができる。
【０１１１】
（本発明の第１の実施形態の変更例２）
図７を参照して、本発明の第１の実施形態の変更例２に係る移動通信システムについて説明する。以下、本変更例に係る移動通信システムについて、上述した本発明の第１の実施形態に係る移動通信システムとの相違点を主として説明する。
【０１１２】
本変更例に係る移動通信システムの構成は、移動端末ＭＳの３Ｇ１Ｘプロトコル制御部１７ｈが、ＥＸ-ＤＯハンドオフ制御部１７ｄからの指示に応じて、移動端末ＭＳが通信を行うＥＶ-ＤＯ用基地局がハンドオフによって切り替わったことを検出した場合、上述の所定条件が満たされたと判断するように構成されている点を除いて、上述した本発明の第１の実施形態に係る移動通信システムの構成と同様である。
【０１１３】
以下、図７を参照して、本発明の第１の実施形態の変更例２に係る移動通信システムの動作について説明する。
【０１１４】
図７に示すように、ステップＳ３０１乃至Ｓ３０８の動作は、上述のステップＳ１０１乃至Ｓ１０８の動作と同一である。
【０１１５】
ステップＳ３０９において、移動端末ＭＳは、移動端末ＭＳが通信を行うＥＶ-ＤＯ用基地局がハンドオフによって切り替わった否かについて判定する。
【０１１６】
移動端末ＭＳが通信を行うＥＶ-ＤＯ用基地局がハンドオフによって切り替わったと判定された場合、本動作はステップＳ３１０に進み、それ以外の場合、本動作は終了する。
【０１１７】
ステップＳ３１０乃至Ｓ３２４の動作は、上述のステップＳ１１０乃至Ｓ１２４の動作と同一である。
【０１１８】
本変更例に係る移動通信システムによれば、所定条件が満たされた場合（移動端末ＭＳが通信を行うＥＶ-ＤＯ用基地局がハンドオフによって切り替わったことを検出した場合）に、ＥＶ-ＤＯ用基地局ＢＳ＃１から、１ｘ用ネットワークを介した発信端末から移動端末ＭＳ宛ての着信があることが通知されていない場合であっても、当該移動端末ＭＳについて異なる移動交換局ＭＳＣ＃１及び＃２配下の１ｘ用基地局ＢＳ＃２及び＃３間で「１ｘハンドオフ処理」を行う必要性が生じている場合、かかる「１ｘハンドオフ処理」を行っておくため、１ｘ用ネットワークを介した発信端末から移動端末ＭＳ宛ての着信を受信できない可能性を低減することができる。
【０１１９】
（本発明の第２の実施形態に係る移動通信システム）
図８を参照して、本発明の第２の実施形態に係る移動通信システムについて説明する。以下、本実施形態に係る移動通信システムについて、上述した本発明の第１の実施形態に係る移動通信システムとの相違点を主として説明する。
【０１２０】
以下、図８を参照して、本発明の第２の実施形態に係る移動通信システムの動作について説明する。
【０１２１】
ステップＳ４０１乃至Ｓ４１２の動作は、上述のステップＳ１０１乃至Ｓ１１２の動作と同一である。
【０１２２】
ステップＳ４１３において、移動端末ＭＳは、ステップＳ４０５で移動端末ＭＳが位置登録処理を行っている１ｘ用基地局ＢＳ＃２に接続されている移動交換局ＭＳＣと、ステップＳ４１２で受信した報知情報に含まれているネットワークＩＤによって識別される移動交換局ＭＳＣとが異なるか否かについて判定する。
【０１２３】
異なると判定された場合、本動作はステップＳ４１４に進み、それ以外の場合、本動作はステップＳ４２０に進む。
【０１２４】
ステップＳ４１４において、移動端末ＭＳは、ＥＶ-ＤＯ用基地局ＢＳ＃１を介することなく、ステップＳ４１２で受信した報知情報に含まれている「基地局ＩＤ」によって識別される１ｘ用基地局ＢＳ＃３に対して、位置登録処理を行うための位置登録要求を通知するための「Ｒｅｇｉｓｔｒａｔｉｏｎ  Ｍｅｓｓａｇｅ」を送信する。
【０１２５】
ステップＳ４１５において、１ｘ用基地局ＢＳ＃３は、移動端末ＭＳについての１ｘ用基地局ＢＳ＃３に対する位置登録処理を行うことによって、移動端末データベース１において、当該移動端末ＭＳの「１ｘ用基地局ＩＤ」に１ｘ用基地局ＢＳ＃３を設定し、当該移動端末ＭＳの「１ｘ用ネットワークＩＤ」に移動交換局ＭＳＣ＃２を設定する。
【０１２６】
ステップＳ４１６において、１ｘ用基地局ＢＳ＃３は、移動端末ＭＳに対して、１ｘ用基地局ＢＳ＃３に対する位置登録処理が完了したことを示す位置登録完了応答を通知するための「Ｒｅｇｉｓｔｒａｔｉｏｎ  Ｍｅｓｓａｇｅ」を送信する。
【０１２７】
ステップＳ４１７において、移動端末ＭＳは、位置登録処理を行っているＥＶ-ＤＯ用基地局ＢＳ＃１に対して、３Ｇ１Ｘプロトコルの使用開始を要求するための「３Ｇ１Ｘプロトコル使用要求」を送信する。
【０１２８】
ステップＳ４１８において、ＥＶ-ＤＯ用基地局ＢＳ＃１は、受信した「３Ｇ１Ｘプロトコル使用要求」に応じて、移動端末ＭＳに対して、３Ｇ１Ｘプロトコルの使用開始を承認するための「３Ｇ１Ｘプロトコル使用承認」を送信する。
【０１２９】
ここで、ＥＶ-ＤＯ用基地局ＢＳ＃１に接続されているパケット制御機能ＰＣＦ＃１は、移動端末データベース１において、当該移動端末ＭＳの「３Ｇ１Ｘプロトコル動作状況」を「使用中（○）」に変更する。
【０１３０】
ステップＳ４１９乃至Ｓ４２４の動作は、上述のステップＳ１１９乃至Ｓ１２４の動作と同一である。
【０１３１】
（本発明の第２の実施形態の変更例１）
図９を参照して、本発明の第２の実施形態の変更例１に係る移動通信システムについて説明する。以下、本変更例に係る移動通信システムについて、上述した本発明の第２の実施形態に係る移動通信システムとの相違点を主として説明する。
【０１３２】
本変更例に係る移動通信システムの構成は、移動端末ＭＳの３Ｇ１Ｘプロトコル制御部１７ｈが、タイマ満了検出部１７ｅからの指示に応じて、３Ｇ１Ｘプロトコルの使用を開始してから一定時間が経過したことを検出した場合、上述の所定条件が満たされたと判断するように構成されている点を除いて、上述した本発明の第２の実施形態に係る移動通信システムの構成と同様である。
【０１３３】
以下、図９を参照して、本発明の第２の実施形態の変更例１に係る移動通信システムの動作について説明する。
【０１３４】
図９に示すように、ステップＳ５０１乃至Ｓ５０８の動作は、上述のステップＳ４０１乃至Ｓ４０８の動作と同一である。
【０１３５】
ステップＳ５０９において、移動端末ＭＳは、３Ｇ１Ｘプロトコルの使用を開始してから一定時間が経過したか否かについて判定する。
【０１３６】
一定時間が経過したと判定された場合、本動作はステップＳ５１０に進み、それ以外の場合、本動作は終了する。
【０１３７】
ステップＳ５１０乃至Ｓ５２４の動作は、上述のステップＳ４１０乃至Ｓ４２４の動作と同一である。
【０１３８】
（本発明の第２の実施形態の変更例２）
図１０を参照して、本発明の第２の実施形態の変更例２に係る移動通信システムについて説明する。以下、本変更例に係る移動通信システムについて、上述した本発明の第２の実施形態に係る移動通信システムとの相違点を主として説明する。
【０１３９】
本変更例に係る移動通信システムの構成は、移動端末ＭＳの３Ｇ１Ｘプロトコル制御部１７ｈが、ＥＸ-ＤＯハンドオフ制御部１７ｄからの指示に応じて、移動端末ＭＳが通信を行うＥＶ-ＤＯ用基地局がハンドオフによって切り替わったことを検出した場合、上述の所定条件が満たされたと判断するように構成されている点を除いて、上述した本発明の第２の実施形態に係る移動通信システムの構成と同様である。
【０１４０】
以下、図１０を参照して、本発明の第２の実施形態の変更例２に係る移動通信システムの動作について説明する。
【０１４１】
図１０に示すように、ステップＳ６０１乃至Ｓ６０８の動作は、上述のステップＳ４０１乃至Ｓ４０８の動作と同一である。
【０１４２】
ステップＳ６０９において、移動端末ＭＳは、移動端末ＭＳが通信を行うＥＶ-ＤＯ用基地局がハンドオフによって切り替わった否かについて判定する。
【０１４３】
移動端末ＭＳが通信を行うＥＶ-ＤＯ用基地局がハンドオフによって切り替わったと判定された場合、本動作はステップＳ６１０に進み、それ以外の場合、本動作は終了する。
【０１４４】
ステップＳ６１０乃至Ｓ６２４の動作は、上述のステップＳ４１０乃至Ｓ４２４の動作と同一である。
【０１４５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１４６】
【図１】一般的な移動通信システムの全体構成図である。
【図２】本発明の第１の実施形態に係る移動端末のハードウエア機能ブロック図である。
【図３】本発明の第１の実施形態に係る移動端末のソフトウエア機能ブロック図である。
【図４】本発明の第１の実施形態に係る移動通信システムで用いられる移動端末データベースにおいて管理されている情報の一例を示す図である。
【図５】本発明の第１の実施形態に係る移動通信システムにおいて、３Ｇ１Ｘプロトコル使用中に、１ｘ用ネットワークからの着信処理を行う動作を示すシーケンス図である。
【図６】本発明の第１の実施形態の変更例１に係る移動通信システムにおいて、３Ｇ１Ｘプロトコル使用中に、１ｘ用ネットワークからの着信処理を行う動作を示すシーケンス図である。
【図７】本発明の第１の実施形態の変更例２に係る移動通信システムにおいて、３Ｇ１Ｘプロトコル使用中に、１ｘ用ネットワークからの着信処理を行う動作を示すシーケンス図である。
【図８】本発明の第２の実施形態に係る移動通信システムにおいて、３Ｇ１Ｘプロトコル使用中に、１ｘ用ネットワークからの着信処理を行う動作を示すシーケンス図である。
【図９】本発明の第２の実施形態の変更例１に係る移動通信システムにおいて、３Ｇ１Ｘプロトコル使用中に、１ｘ用ネットワークからの着信処理を行う動作を示すシーケンス図である。
【図１０】本発明の第２の実施形態の変更例２に係る移動通信システムにおいて、３Ｇ１Ｘプロトコル使用中に、１ｘ用ネットワークからの着信処理を行う動作を示すシーケンス図である。
【図１１】従来技術に係る移動通信システムにおいて、３Ｇ１Ｘプロトコル使用中に、１ｘ用ネットワークからの着信処理を行う動作（１ｘハンドオフが生じていない場合）を示すシーケンス図である。
【図１２】従来技術に係る移動通信システムにおいて、３Ｇ１Ｘプロトコル使用中に、１ｘ用ネットワークからの着信処理を行う動作（１ｘハンドオフが生じていない場合）を説明するための図である。
【図１３】従来技術に係る移動通信システムにおいて、３Ｇ１Ｘプロトコル使用中に、１ｘ用ネットワークからの着信処理を行う動作（同一ＭＳＣ配下の１ｘ用基地局間で１ｘハンドオフが生じている場合）を示すシーケンス図である。
【図１４】従来技術に係る移動通信システムにおいて、３Ｇ１Ｘプロトコル使用中に、１ｘ用ネットワークからの着信処理を行う動作（同一ＭＳＣ配下の１ｘ用基地局間で１ｘハンドオフが生じている場合）を説明するための図である。
【図１５】従来技術に係る移動通信システムにおいて、３Ｇ１Ｘプロトコル使用中に、１ｘ用ネットワークからの着信処理を行う動作（異なるＭＳＣ配下の１ｘ用基地局間で１ｘハンドオフが生じている場合）を示すシーケンス図である。
【図１６】従来技術に係る移動通信システムにおいて、３Ｇ１Ｘプロトコル使用中に、１ｘ用ネットワークからの着信処理を行う動作（異なるＭＳＣ配下の１ｘ用基地局間で１ｘハンドオフが生じている場合）を説明するための図である。
【符号の説明】
【０１４７】
ＭＳ…移動端末
１１…表示部
１２…キー入力部
１３…記憶部
１３ａ…位置情報記憶部
１４…１ｘ用送受信部
１５…ＥＶ-ＤＯ用送受信部
１６…切替部
１７…制御部
１７ａ…ＥＶ-ＤＯ報知情報取得部
１７ｂ…ＧＰＳ情報取得部
１７ｃ…位置情報取得部
１７ｄ…ＥＶ-ＤＯハンドオフ制御部
１７ｅ…タイマ満了検出部
１７ｆ…１ｘ報知情報取得部
１７ｇ…１ｘハンドオフ制御部
１７ｈ…３Ｇ１Ｘプロトコル制御部
１８…送受信アンテナ
１９…ＧＰＳ機能部
【図１】
2007201923.tif 000003
【図２】
2007201923.tif 000004
【図３】
2007201923.tif 000005
【図４】
2007201923.tif 000006
【図５】
2007201923.tif 000007
【図６】
2007201923.tif 000008
【図７】
2007201923.tif 000009
【図８】
2007201923.tif 000010
【図９】
2007201923.tif 000011
【図１０】
2007201923.tif 000012
【図１１】
2007201923.tif 000013
【図１２】
2007201923.tif 000014
【図１３】
2007201923.tif 000015
【図１４】
2007201923.tif 000016
【図１５】
2007201923.tif 000017
【図１６】
2007201923.tif 000018